(57)【特許請求の範囲】
【請求項１】
建具の所定位置に形成された開口部の構造であって、
開口部の周縁を化粧するための支持化粧部材及び化粧部材と、
開口部に配置される板部材を固定する固定部材とを有し、
前記支持化粧部材には板部材を受け入れて該板部材の一方側の面に可撓性を有するパッキン材を介して間接的に接触して支持する段部が形成され、
前記化粧部材は開口部の周縁に取り付けられたとき先端が前記支持化粧部材に形成された段部に化粧部材側から板部材を挿入する際に支障をきたすことのない高さに形成されると共に前記支持化粧部材と対向する面の所定部位に溝が形成され、
前記固定部材には前記支持化粧部材の段部に受け入れた板部材の他方側の面に可撓性を有するパッキン材を介して間接的に接触して固定する本体と、該本体から建具側に並行して突設した二つの片が形成され、
予め支持化粧部材及び化粧部材を開口部の周縁に対向させて取り付けておき、
支持化粧部材の段部に板部材を配置した後、該板部材と化粧部材の先端部分の間に固定部材の二つの片を溝の側面に形成された係止部と該片の係止部と対応する位置に形成された係合突起とを係合させばね作用により溝に嵌合させることで板部材を固定することを特徴とする建具の開口部構造。
【発明の詳細な説明】
【０００１】
【発明の属する技術分野】
本発明は、ステンドグラスや透明ガラス等のガラスや鏡、或いは合板等の板部材を設けた開口部を有する建具に於ける開口部構造に関し、特に、素人であっても容易に板部材の交換を行うことが出来、且つ意匠の向上をはかることが出来る開口部構造に関するものである。
【０００２】
【従来の技術】
扉や窓に用いる建具には、所定位置にガラスや鏡或いは中板を取り付けて構成されたものがあり、夫々最適な部位に採用されている。たとえば、透明ガラスやステンドグラスを含むガラスを取り付けた建具はリビングの出入口の扉や窓として採用され、また鏡を取り付けた建具は風呂の出入口や洗面所の出入口の扉として採用され、更に、中板を取り付けた建具は寝室等の出入口の扉として採用されている。
【０００３】
建具としての扉にガラスや鏡或いは中板を取り付ける取付構造の例について図５〜図７を用いて説明する。図５は、フラッシュ建具にガラスを取り付ける構造の第１公知例を示すものである。図に於いて、建具51の所定位置に形成された開口部52の一方側の面に全周にわたって面縁53が配置され、接着剤によって建具51に固定され、該面縁53に形成した溝53ａにガラス54が嵌め込まれている。開口部52の他方側の面に面縁53に対向して面縁55が配置され、該面縁55はビス或いはタッカー56によって建具51に固定されている。面縁55を開口部52に配置したとき、該面縁55の溝55ａがガラス54を押さえるように構成されている。この第１公知例では、タッカー56の頭部が外部に露出することになり、意匠上の難点がある。
【０００４】
図６は框組建具に中板を取り付ける構造の第２公知例を示すものである。図に於いて、建具61は框或いは束62によって形成された開口部63に、意匠性を向上させて形成された中板64を取り付けた取付部材65を配置すると共に接着剤によって固定されている。この第２公知例では、建具61を構成する一方の縦框に上下に配置された一対の束62を取り付けると共に該束62に夫々取付部材65を接着してコ字状に形成しておき、該コ字の開放部分から中板64を差し込んで取り付けると共に該開放部分に他方の縦框を取り付け、更に、束62と取付部材65との接続部位を含んで建具61の全面に表面板66を取り付けることで、両者の接着部位を隠すと共に建具61の表面を化粧して意匠を向上することが出来る。
【０００５】
図７は框組建具にガラスを取り付ける構造の第３公知例を示すものである。図に於いて、建具71は框或いは束72によって形成された開口部73に、ガラス74を嵌め込む溝75ａと挟持部材76を載置する段部75ｂを形成した固定部材75を配置しておき、前記溝75ａにガラス74を嵌め込んだ後、段部75ｂに挟持部材76を載置してビス77によって挟持部材76，固定部材75を同時に束72に取り付けている。また束72と固定部材75の接続部位を含んで建具71の全面に表面板78が取り付けられており、この表面板78によって建具71の意匠を向上している。
【０００６】
上記の如く、第１公知例ではガラスの固定と開口部の化粧を１つの部材によって行っており、第２公知例では中板の固定を１つの部材によって行い、建具の表面に表面板を取り付けることで意匠を向上させている。第３公知例は、第１，第２公知例を組み合わせた形状を有しており、建具の表面に表面板を取り付けることで意匠を向上させている。前記表面板は建具の全面を覆って取り付けられており、開口部の周辺を含む建具そのものを化粧する機能を発揮している。
【０００７】
第１公知例〜第３公知例では、ガラス等を建具に固定するための部材（面縁，取付部材，固定部材，挟持部材）が露出するため、建具の外観意匠に影響を与える。前記ガラス等を建具に固定するための部材は、ガラス等を建具に固定する機能と、建具の意匠を向上する機能と、を併せ持つことになり、建具に取り付ける手段や形状或いは表面の意匠が限定される。
【０００８】
【発明が解決しようとする課題】
上記第１公知例〜第３公知例の構造は、ガラスや中板を建具に固定する際に、開口部の一方側の面に配置された固定部材を接着剤によって建具に固定し、開口部の他方側の面に配置された挟持部材をビスやタッカー等によって建具に固定している。このため、ビスやタッカーの頭部が表面に露出して美観を損なうという問題がある。
【０００９】
また最近の住宅では長寿命化が進んでおり、使用期間中に於ける居住者の構成の変化に伴う建具の機能の変化、或いは建具の意匠の変更が求められることがある。例えば、建具に取り付けてある透明ガラスをステンドガラスに変えたり、ガラスや中板を外してペット用の通路を形成するというような要求が生じることがある。このような場合、或いはガラスが破損したり中板が劣化して交換する必要が生じたとき、上記第１公知例〜第３公知例の構造では、タッカーを引き抜いて再度打ち込む作業や、接着剤を剥離して再接着する作業等が必要になる。タッカーを打ち込む作業はガラスの近傍で行うこととなるため素人が簡単に作業することが困難であり、同様に接着剤を使用して固定する作業も素人が簡単に行うには困難な作業に属するという問題がある。
【００１０】
本発明の目的は、素人であってもガラスや中板等の板状部材の交換を容易に行うことが出来、且つ開口部の周縁の意匠性を向上させることが出来る建具の開口部構造を提供することにある。
【００１１】
【課題を解決するための手段】
上記課題を解決するために本発明に係る建具の開口部構造は、建具の所定位置に形成された開口部の構造であって、開口部の周縁を化粧するための支持化粧部材及び化粧部材と、開口部に配置される板部材を固定する固定部材とを有し、前記支持化粧部材には板部材を受け入れて該板部材の一方側の面に可撓性を有するパッキン材を介して間接的に接触して支持する段部が形成され、前記化粧部材は開口部の周縁に取り付けられたとき先端が前記支持化粧部材に形成された段部に化粧部材側から板部材を挿入する際に支障をきたすことのない高さに形成されると共に前記支持化粧部材と対向する面の所定部位に溝が形成され、前記固定部材には前記支持化粧部材の段部に受け入れた板部材の他方側の面に可撓性を有するパッキン材を介して間接的に接触して固定する本体と、該本体から建具側に並行して突設した二つの片が形成され、予め支持化粧部材及び化粧部材を開口部の周縁に対向させて取り付けておき、支持化粧部材の段部に板部材を配置した後、該板部材と化粧部材の先端部分の間に固定部材の二つの片を溝の側面に形成された係止部と該片の係止部と対応する位置に形成された係合突起とを係合させばね作用により溝に嵌合させることで板部材を固定するものである。
【００１２】
上記建具の開口部構造では、建具に形成された開口部に配置された板部材を開口部の周囲に固定部材を取り付けることで固定することが出来、且つ開口部の周囲から取り外すことで板部材を建具から取り外すことが出来る。また開口部の周縁に化粧部材を取り付けることで、該化粧部材によって少なくとも固定部材の一部を覆うと共に開口部の周囲を覆って化粧することが出来る。
【００１３】
特に、板部材を受け入れて該板部材の一方側の面を直接又は間接的に支持する段部を形成した支持化粧部材と、前記段部に板部材を挿入する際に邪魔になることのない高さを持った化粧部材と、固定部材を有しており、建具の開口部の周縁であって対向する面（建具の両表面）に予め支持化粧部材と化粧部材を取り付けておき、板部材を化粧部材側から支持化粧部材の段部に挿入する際に、この挿入作業を邪魔するものがないので容易に挿入することが出来る。段部に挿入された板部材は、一方側の面が支持化粧部材の段部に直接又は間接的に接触して支持される。そして支持化粧部材の段部に板部材を挿入した後、該板部材と化粧部材の先端部分との間に固定部材を嵌合させることで、該固定部材によって板部材の他方側の面を拘束して固定することが出来る。
【００１４】
従って、建具の一方側の面は板部材を受け入れて直接又は間接的に接触して支持する支持化粧部材によって化粧することが出来、他方側の面は支持化粧部材に対向して配置された化粧部材と該化粧部材の先端部分と板部材との間に嵌合された固定部材とによって化粧することが出来る。
【００１５】
上記の如く、予め建具の開口部の周縁に支持化粧部材と化粧部材を取り付けておき、この支持化粧部材に板部材を挿入すると共に、該板部材と化粧部材の先端との間に固定部材を嵌合して板部材を固定するので、前記固定部材を離脱させることで、板部材を容易に取り出すことが出来る。従って、建具の開口部に対し板部材を挿入して固定する作業や、現在取り付けられている板部材を新たな板部材に交換する作業も容易に行うことが出来る。
【００１６】
また、化粧部材の支持化粧部材と対向する面の所定部位に溝が形成され、且つ固定部材が支持化粧部材の段部に受け入れた板部材を直接又は間接的に接触して固定する本体と該本体から建具側に並行して二つの片が突設して形成され、予め支持化粧部材及び化粧部材を開口部の周縁に対向させて取り付けておき、支持化粧部材の段部に板部材を配置した後、該板部材と化粧部材の先端部分の間に固定部材を嵌合させる際に該固定部材の二つの片を溝に嵌合させることで板部材を固定することができる。
【００１７】
即ち、固定部材が板部材と直接又は間接的に接触して固定する本体と、この本体から突出させた二つの片を有するので、前記二つの片を化粧部材の溝に嵌合させたとき、これらの片が有するバネ性によって位置を保持することが出来、同時に本体が直接又は間接的に板部材の表面に接触することで、安定した位置と姿勢を保持することが出来る。
【００１８】
従って、固定部材を板部材と化粧部材の先端部分との間に嵌合することで、板部材は、一方側の面が支持化粧部材の段部に直接又は間接的に接触して、他方側の面が固定部材の本体に直接又は間接的に接触して安定した状態で固定される。また固定部材を板部材と化粧部材の先端部分との間から離脱させることで、支持化粧部材の段部に配置された板部材を露出させることが出来、該板部材を容易に離脱させることが出来る。特に、固定部材にバネ性を持った二つの片を設けたことによって、該固定部材を化粧部材から離脱させる操作も容易となる。
【００１９】
【発明の実施の形態】
以下、本発明に係る建具の開口部構造の好ましい実施形態について説明する。
【００２０】
本発明に係る開口部構造は、扉や窓の障子に用いられる建具であって、所定位置に１箇所又は複数箇所形成され且つ板部材が嵌め込まれている開口部を有する建具の開口部に於いて、開口部に対する板部材の着脱を素人でも容易に行えるようにし、且つ開口部の周囲の美観を向上させ得るようにしたものである。このため、開口部の機能を変更し、或いは開口部に取り付けた板部材の機能を変更し、更に、板部材が破損したり劣化したときに交換する作業を容易に行うことが可能となり、開口部の機能や意匠の変更に対する自由度を高くすることが可能である。
【００２１】
本発明に於いて、開口部に配置された板部材を固定する固定部材は、開口部の周囲に着脱可能に取り付けられ、或いは板部材と化粧部材の先端部分との間に着脱可能に嵌合される。即ち、固定部材は、開口部の周囲を構成する建具の面に着脱可能に取り付けられ、或いは開口部の周縁に配置され且つ該開口部の面に固定された化粧部材に着脱可能に取り付けられる。従って、固定部材は必ずしも開口部の周囲を構成する面に直接着脱し得るように取り付けられる必要はなく、実質的に開口部の周囲に対し着脱可能に取り付けられれば良い。
【００２２】
同様に、化粧部材は建具の開口部に取り付けられて該開口部の周縁を覆うように構成される。即ち、化粧部材は、開口部の周囲を構成する面に取り付けた固定部材に対して着脱可能に取り付けられ、或いは開口部の周囲を構成する面に直接固定される。従って、化粧部材は開口部の周囲を構成する面に対し間接的に且つ着脱可能に取り付けられ、或いは直接固定される。
【００２３】
建具としての構造は特に限定するものではなく、従来のフラッシュ構造の建具や、框組構造の建具を用いることが可能である。またこれらの建具に形成される開口部の形状や寸法或いは数についても特に限定するものではなく、建具の所定位置に１箇所或いは複数箇所形成されていてもよい。
【００２４】
開口部は、フラッシュ構造の建具では該建具に形成された孔として構成されるのが一般的であり、框組構造の建具では框と束とによって構成されるのが一般的である。このため、開口部の周囲とは建具の構造に応じて変化する開口部の形状によって異なり、フラッシュ構造の建具の場合、開口部の周囲は該開口部に臨む建具の面によって構成され、框組構造の場合、主として縦横の束によって構成される。
【００２５】
開口部に取り付けられる板部材として、特に形状や機能を限定するものではなく、建具の開口部に取り付けられたとき、美観の向上を含む特定の機能を発揮し得るものであって、表面が平坦な板であるか否かに関わらず外見が板状を呈する部材が採用される。このような板部材として、ガラス（透明ガラスや不透明ガラス或いはステンドグラス等を含む）や鏡、或いは合板等によって表面に意匠上の凹凸模様が形成された中板等があり、更に、例えばネコに代表されるペットの出入口を設けると共に犬や猫等のペットがひっかいても耐え得るような耐傷性板からなる板部材や、網戸状の或いはすだれ状の板部材等がある。
【００２６】
上記の如く、建具の開口部に取り付けられる板部材は一義的に限定し得るものではなく、居住者の要求に応じて適宜採用されるものである。従って、板部材としては必ずしも所謂「板」である必要はない。
【００２７】
また開口部に取り付けられる板部材としては、縦，横，厚さの各寸法が等しければ、異なる機能や異なる意匠を有する複数の機種の中から選択的に用いることが可能である。即ち、現在取り付けられている透明なガラスを、表面に凹凸模様を形成した合板に交換することで、建具の透視機能や表面意匠を大幅に変更したり、或いは現在取り付けられている合板を、網戸やペットの出入口に交換することで建具の機能を大幅に変更することが可能である。
【００２８】
上記の如き板部材を建具の開口部に固定する固定部材は、建具に対して着脱可能に構成される。そして建具に形成された開口部の周囲に装着したとき、板部材を開口部に固定することが可能であり、開口部の周囲から取り外したとき、板部材を建具の開口部から取り外すことが可能である。この固定部材は、少なくとも一部が化粧部材に覆われて化粧される。従って、固定部材を建具に形成された開口部の周囲に取り付けたとき、表面に該固定部材を取り付けるための部品が露出していても、この部品は化粧部材によって化粧されるため、美観を損なうことがない。
【００２９】
固定部材は、バネ性を持たせて該バネ性を利用して板部材を固定し得るように構成されている。即ち、固定部材を、本体と、該本体から並行して突設された二つの片と、によって構成することで、二つの片にバネ性を持たせることが可能となり、これらの片の何れか一方によって板部材を固定することが可能であり、また二つの片を溝に嵌合させて位置を拘束し、この状態で本体の一部を板部材に直接又は間接的に接触させることで、該板部材を固定することも可能である。
【００３０】
化粧部材は、建具に形成された開口部に取り付けられ、少なくとも固定部材の一部を覆うと共に固定部材と開口部の周縁を覆うことで化粧する機能を有する。化粧部材を開口部に取り付ける場合、該開口部の何れの部位に取り付けるかは限定するものではなく、例えば、開口部の周囲に取り付けた固定部材に取り付けても良く、また開口部の周囲に直接或いは間接的に取り付けても良い。更に、開口部の周縁に取り付けることも可能である。いずれにしても、固定部材の形状や寸法を考慮して最適な方式で取り付けるように構成することが好ましい。また化粧部材を建具に対して着脱可能とするか固定するかも限定するものではない。
【００３１】
化粧部材の建具に形成された開口部の周縁に取り付ける取付手段としては、該化粧部材を着脱可能に構成する場合、繰り返し使用可能なテープ（固定部材を取り付ける際に利用するテープと同様のテープ）を用いることが好ましく、固定する場合は接着剤を用いることが好ましい。いずれにしても、化粧部材を開口部の周縁に取り付ける取付手段は外部に露出してはならない。
【００３２】
化粧部材は開口部の形状に応じて複数の部品（例えば、開口部が四角形である場合、各辺に対応した複数の片状の部品）によって構成することが可能である。しかし、複数の部品によって化粧部材を構成した場合、部品の接続部位に明確な接続線が形成され、この接続線が美観を損なうことがあるため、一体化された物として構成することが好ましい。
【００３３】
上記固定部材や化粧部材は、木材や合成樹脂等の材料によって形成することが可能であり、建具の本体を形成する材料との関係で適宜選択することが好ましい。
【００３４】
次に、本発明に係る開口部構造の実施例について図を用いて説明する。図１は開口部構造を模式的に説明する展開図であり、フラッシュ構造の建具に適用した構成例を説明する参考図である。図２は第１実施例に係る開口部構造を説明する図である。図３は第１実施例を構成する支持化粧部材，化粧部材，固定部材の形状を説明する図である。図４は本発明に係る開口部構造を適用した扉の構成を説明する図である。
【００３５】
先ず、図１により開口部構造の構成例について概略的に説明する。図に於いて、建具１に形成された開口部２には板部材となるガラス３が配置され、固定部材４によって建具１に固定されている。また開口部２の周縁には化粧部材５が取り付けられており、この化粧部材５によって固定部材４を覆って化粧し、且つ開口部２の周囲に於ける建具１と固定部材４との接続部位を覆うことで化粧している。
【００３６】
尚、図１にはガラス３の一方側（上面側）に配置された固定部材４のみが記載されているが、反対側（下面側）にも同様に固定部材４が配置されている。尚、反対側に配置された固定部材４は予め完全に固定しておいても良い。
【００３７】
建具１はフラッシュ構造の建具として形成されており、該建具１の所定位置に開口部２が形成されている。建具１の寸法は住宅に於ける建具１を取り付ける部位の寸法に対応しており、一義的に設定し得るものではない。同様に開口部２の寸法も一義的に設定し得るものではなく、建具１の寸法や、該建具１を取り付けるべき部位の意匠に応じて適宜設定される。
【００３８】
フラッシュ構造の建具１は建具として必要な厚さを有しており、開口部２を規定する面を形成することによって、開口部２が形成される。即ち、建具１に於ける開口部２に臨む面が、開口部２の周囲となる面２ａとして形成される。また建具１の表面であって開口部２の近傍が、開口部２の周縁２ｂとしての機能を有する。このため、開口部２の周縁２ｂは該開口部２からの寸法を規定するものではなく、おおよその範囲を示すものである。
【００３９】
固定部材４は、開口部２の周囲を構成する面２ａに着脱可能に構成され、取り付けられたときにガラス３を固定し、取り外されたときにガラス３の固定を解除する機能を有するものである。
【００４０】
固定部材４を構成する材料は特に限定されるものではなく、木材や合成樹脂或いは金属等の中から最適な材料を選択することが可能である。
【００４１】
化粧部材５は、建具１に形成された開口部２の周囲を構成する面２ａに取り付けた固定部材４を覆うと共に開口部２の周縁２ｂを覆うことで、開口部２の周囲を化粧する機能を有するものである。
【００４２】
化粧部材５は、開口部２の面２ａ毎に対応させて形成した複数の棒状の部材によって構成することが可能である。しかし、開口部２の形状に対応させた形状（本実施例の場合四角形状）、或いは開口部２の形状には関係ない形状（例えば開口部２に納まる楕円形状等の形状）を持った一体枠として構成しておくことが好ましい。
【００４３】
上記の如く建具１に形成された開口部２に化粧部材５を取り付けたとき、該開口部２に配置されたガラス３と建具１は化粧部材５を介して接続されることとなり、化粧部材５の意匠性を充分に発揮することが可能となる。
【００４４】
次に、図２，図３により第１実施例に係る開口部の構造について説明する
【００４５】
本実施例に係る開口部の構造は、支持化粧部材と化粧部材からなる２つの化粧部材が開口部の両側の面に配置されると共に、これらの化粧部材は開口部の周囲を構成する面に接着によって固定され、更に、固定された支持化粧部材に対して板部材を配置した後、該板部材と化粧部材の先端部分との間に固定部材を嵌合することで、２つの支持化粧部材と化粧部材とによって板部材を固定し、且つ既に嵌合されている固定部材を離脱させることで板部材を取り外し得るように構成している。
【００４６】
特に、建具１に形成された開口部２の面２ａに固定した支持化粧部材には、板部材となるガラス３を受け入れると共に直接又は間接的に接触する段部を形成しておき、この段部にガラス３を嵌め込み、且つガラス３と化粧部材の先端部分との間に固定部材を嵌合させて該固定部材を直接又は間接的にガラス３に接触させることで、該ガラス３を開口部２に固定することが可能である。
【００４７】
このとき、固定部材の大部分はガラス３と化粧部材の先端部分との間に嵌め込まれるものの、開口部２の内側に面した部位であって少なくともガラス３に対向する端面は露出しており、化粧部材の表面と共に開口部２の化粧としての機能を発揮する。
【００４８】
図に於いて、建具１はフラッシュ構造の建具として構成されており、該建具１に形成された開口部２の一方側の面に支持化粧部材31が配置され、他方側の面に化粧部材32が配置されている。開口部２に配置されたガラス３は、一方側の面が支持化粧部材31が直接又は間接的に接触し、他方側の面が固定部材33が直接又は間接的に接触して固定されている。
【００４９】
支持化粧部材31は、先端部分に形成されガラス３を受け入れて一方側の面に直接接触し或いはパッキン材34を介して間接的に接触する段部31ａと、開口部２側の端部に形成され開口部２の周縁２ｂを覆うスカート部31ｂと、開口部２の面２ａと対向する面であって該面２ａに取り付けられる取付面31ｃとを有して形成されている。
【００５０】
化粧部材32は、固定部材33を受け入れる溝32ａと、該溝32ａの側面に形成され固定部材33に設けた係合突起33を係止する係止部32ｂと、開口部２側の端部に形成され開口部２の周縁２ｂを覆うスカート部32ｃと、開口部２の面２ａと対向する面であって該面２ａに取り付けられる取付面32ｄとを有して形成されている。
【００５１】
化粧部材32の先端部32ｅから取付面32ｄまでの寸法は、支持化粧部材31に於ける段部31ａの底部から取付面31ｃまでの寸法と略等しいか短く形成されており、支持化粧部材31の段部31ａにガラス３を配置する際に、化粧部材32がこの作業に支障をきたすことがない高さに構成されている。化粧部材32に溝32ａが形成されることから、該化粧部材32の先端部32ｅは略固定部材33の寸法分、支持化粧部材31の段部31ａから離隔することとなる。即ち、支持化粧部材31の段部31ａにガラス３を配置したとき、該ガラス３と化粧部材32の先端部32ｅとの間には固定部材33を嵌合させる隙間が形成される。
【００５２】
支持化粧部材31及び化粧部材32は、夫々取付面31ｃ，32ｄが開口部２の面２ａに接着されて建具１に取り付けられている。従って、開口部２の周囲を構成する面２ａは支持化粧部材31，化粧部材32によって覆われることとなり、開口部２の周縁２ｂをこれらの支持化粧部材31，化粧部材32によって化粧することが可能である。
【００５３】
固定部材33は、ガラス３と化粧部材32の先端部32ｅの間に嵌合したとき、パッキン材34を介して間接的にガラス３と接触して該ガラス３を固定する機能を有する。このため、固定部材33は、ガラス３と間接的に接触する本体部33ａと、本体部33ａから並行して突設された二つの片33ｂ，33ｃ（化粧部材32と対向する片33ｂ、支持化粧部材31と対向する片33ｃ）とを有しており、一方の片33ｂには化粧部材32に設けた係止部32ｂと係合する係合突起33ｄが形成されると共に化粧部材33の上端部32ｅと略対応する位置に凹溝33ｅが形成されている。
【００５４】
特に、化粧部材32に形成された溝32ａの幅寸法は固定部材33に設けた二つの片33ｂ，33ｃの外側の面間の寸法よりも僅かに小さい値で形成されており、固定部材33を嵌合させたとき、この固定部材33は二つの片33ｂ，33ｃのバネ作用によって嵌合状態を保持し得るように構成されている。
【００５５】
また固定部材33の片33ｂの化粧部材32と対向する面には、化粧部材32に設けた係止部32ｂと対応する位置に係合突起33ｄが形成され、上端部32ｅと対応する位置に凹溝33ｅが形成されている。係合突起33ｄは化粧部材32の係止部32ｂと係合して固定部材33が離脱することを防止する機能を有しており、凹溝33ｅは固定部材33を離脱させる際に化粧部材32の上端部32ｅから突出している部分をガラス３方向に押し込んで目打ち或いはドライバーの先端を引っ掛けて離脱させる際に利用するものである。固定部材33をガラス３と化粧部材32の上端部32ｅとの間に嵌合したとき、凹溝33ｅは化粧部材32によって覆われるため、意匠性の点でも優れたものである。
【００５６】
即ち、係合突起33ｄは固定部材33の化粧部材32に対する嵌合状態を保持する際に機能するものであり、凹溝33ｅは嵌合状態にある固定部材33を化粧部材32から離脱させる際に利用するものである。
【００５７】
特に、ガラス３に代表される板状部材を交換する作業を素人が行うこととなるため、固定部材33の嵌合作業及び離脱作業は容易に行えることが好ましい。従って、嵌合状態にある固定部材33を離脱させるための構造は、前述の凹溝33ｅに限定するものではなく、他の形状、例えば固定部材33に庇状の突起を形成して目打ちやドライバーを引っ掛けるようにした構造や本体33ａに小さい穴を形成しておき、この穴に目打ちを差し込んで引っ掛けるようにした構造等であっても良い。
【００５８】
即ち、ガラス３を固定するために、該ガラス３と化粧部材32の先端部32ｅの間に嵌合した固定部材33を離脱させることは必須であるが、この固定部材33を離脱させるための構造は特に限定するものではない。
【００５９】
パッキン材34は、可撓性を持ったゴム，合成樹脂からなり、支持化粧部材31の段部31ａ、固定部材33の本体33ａに夫々取り付けられて自由端がガラス３の表面と接触する。本実施例では、パッキン材34は支持化粧部材31，固定部材33と一体的に成形されているが、この構成に限定するものではなく、支持化粧部材31，固定部材33と別体に成形されたものを用いることも可能である。
【００６０】
特に、建具１の開口部２に配置される板部材（ガラス３）の厚さは一義的に設定されるものではなく、選択した機能性を持った板部材に応じて変化するのが一般的である。この場合、支持化粧部材31，固定部材33に一体成形したパッキン材34の撓み量の変化によって対応することが可能である。また支持化粧部材31に形成した段部31ａの先端に支持突起31ｆを形成すると共に固定部材33の本体33ａに支持突起33ｆを形成しておき、最も厚い板部材を用いる際には、これ等の支持突起31ｆ，33ｆを直接板部材の表面に接触させて固定することが可能である。
【００６１】
上記の如く構成された本実施例では、建具１に形成された開口部２の面２ａに予め支持化粧部材31，化粧部材32を接着等の手段で取り付けておくことで、該開口部２の面２ａ及び周縁２ｂをこれらの化粧部材31，32によって化粧することが可能である。
【００６２】
特に、開口部２に支持化粧部材31，化粧部材32を取り付けたとき、化粧部材32の先端部32ｅは、支持化粧部材31に形成した段部31ａと略等しい高さとなり、該段部31ａの全体が露出することとなる。このため、化粧部材32側から支持化粧部材31の段部31ａにガラス３を挿入する際に、この挿入を邪魔する何者も存在せず容易に且つ確実にガラス３の収容作業を行うことが可能である。そして段部31ａに配置されたガラス３はパッキン材34を介して段部31ａと接触する。
【００６３】
次いで、ガラス３と化粧部材32の先端部32ｅとの間に固定部材33を片33ｂ，33ｃを溝32ａ側に向けて嵌合させ、これらの片33ｂ，33ｃを溝32ａに嵌合させる。これにより、固定部材33は片33ｂ，33ｃのバネ作用によって溝32ａに対する嵌合状態を安定して保持することが可能である。また固定部材33の本体33ａは直接又はパッキン材34を介して間接的にガラス３と接触し、これに伴ってガラス３を固定することが可能となる。
【００６４】
本実施例に於いて、段部31ａは必ずしも支持化粧部材31に形成されていなくとも良く、支持化粧部材31と化粧部材32とが対向する面に形成されていれば良い。即ち、段部31ａが化粧部材32側に形成されていても良い。
【００６５】
次に、上記開口部構造を適用した建具の一例について図４により説明する。図に示す建具１は住宅のドアであり、該ドア１の下方に開口部２が形成されており、該開口部２にペットが出入りすることが可能な出入口41を設けた板部材３が配置されている。板部材３は、前述の第１実施例に従って支持化粧部材31（図の反対側の面に取り付けられる），化粧部材32，固定部材33によって着脱可能に取り付けられて開口部２の周縁が化粧部材31，32及び固定部材33によって化粧されている。
【００６６】
板部材３は、出入口41と面材42とによって構成されており、出入口41はフレーム41ａとスイング式の扉41ｂを有している。また出入口41は面材42に一体化されており、全体が板部材３として機能し得るように構成されている。前記出入口41は市販されているものを面材42に取り付けたものであり、大きさの異なる出入口41を取り付けた幾つかの板部材３を用意しておき、ペットの成長に伴って容易に交換することが可能である。また面材42としては、ペットが爪を研いだり引っかいたりすることを想定して、木のむく材からなり表面の硬度を床材として利用し得る程度に向上させた耐傷性板を用いている。
【００６７】
上記の如き板部材３をドア１の開口部２に配置することによって、ペットが自由に出入りすることが可能となる。また板部材３の面材42が引っかき傷によって損傷したとき、固定部材33を、板部材３と化粧部材32の先端部32ｅの間から離脱させることで、板部材３を略全面にわたって露出させることが可能であり、従って、容易にドア１から離脱させることが可能である。
【００６８】
そして損傷のない面材42を用いた新たな板部材３、或いはより大きい出入口41を設けた板部材３、更には、ペットとは無関係に網戸やすだれ、或いは他の機能や意匠を持った板部材３と交換し、新たな板部材３を支持化粧部材31の段部31ａに配置した後、該板部材３と化粧部材32の先端部32ｅとの間に固定部材33を嵌合させることで、新たな板部材３を取り付けることが可能である。
【００６９】
上記の如く、板部材３の機能や意匠を適宜選択しておくことで、ドア１に選択した板部材３の機能や意匠を付与することが可能となる。従って、ドア１を長期間使用する際にも、適宜、機能や意匠の変化を与えて利用することが可能となる。
【００７０】
前述の各実施例では板部材としてガラス３を用いる場合について説明したが、例えば、ガラス３を透明ガラスやスリガラス或いはステンドグラスのような透視機能としては略同じであるが意匠の異なるガラスに変更することが可能である。またガラス３を合板からなる透視機能を有することのない板部材に、或いは表面に夫々異なる意匠を施した板部材を選択して交換することで、建具の意匠を積極的に変更することが可能である。更に、ガラス３や下方に取り付けられている板部材を網戸やすだれ或いはペットの出入口に交換することで、建具の機能を変更することが可能である。
【００７１】
【発明の効果】
以上詳細に説明したように本発明に係る建具の開口部構造では、開口部の周囲に着脱可能に取り付けられた固定部材によって開口部に配置された板部材を固定することが出来、且つ固定部材の少なくとも一部を化粧部材によって覆うことで開口部を化粧することが出来る。
【００７２】
このため、専門技術を必要としない簡単な作業で板部材の保守を行うことが出来る。即ち、ガラス等の板部材が破損したときに素人でも簡単に新しいガラスと交換することが可能であり、また現在取り付けられているガラスや鏡等を取り外して網戸やペットの出入口等の部材に交換することが出来る。
【００７３】
特に、支持化粧部材に段部を形成すると共に化粧部材の先端部分の高さを、段部に板部材を配置する際に支障をきたすことのない値とすることで、板部材の取付作業や取外作業を容易に行うことが出来る。
【００７４】
上記の如く、固定部材は着脱可能に構成されるため、板部材を交換し或いは変更する際に固定部材が廃材となることがなく、コスト的に有利である。また上記作業は建具を取り外して行う必要がなく、目的の建具を出入口や窓に取り付けた状態で行うため、作業がし易く短時間で実施することが出来、工期の短縮化をはかることが出来る。
【図面の簡単な説明】
【図１】
開口部構造を模式的に説明する展開図であり、フラッシュ構造の建具に適用した構成例を説明する参考図である。
【図２】第１実施例に係る開口部構造を説明する図である。
【図３】第１実施例を構成する支持化粧部材，化粧部材，固定部材の形状を説明する図である。
【図４】本発明に係る開口部構造を適用した扉の構成を説明する図である。
【図５】フラッシュ建具にガラスを取り付ける構造の第１公知例を示すものである。
【図６】框組建具に中板を取り付ける構造の第２公知例を示すものである。
【図７】框組建具にガラスを取り付ける構造の第３公知例を示すものである。
【符号の説明】
１                      建具
２                      開口部
２ａ                    面
２ｂ                    周縁
３                      ガラス
４                      固定部材
５                      化粧部材
31                      支持化粧部材
31ａ                    段部
31ｂ                    スカート部
31ｃ                    取付面
31ｆ                    支持突起
32                      化粧部材
32ａ                    溝
32ｂ                    係止部
32ｃ                    スカート部
32ｄ                    取付面
32ｅ                    先端部
33                      固定部材
33ａ                    本体部
33ｂ，33ｃ              片
33ｄ                    係合突起
33ｅ                    凹溝
33ｆ                    支持突起
34                      パッキン材
41                      出入口
41ａ                    フレーム
41ｂ                    扉
42                      面材
【図１】
0003957610.tif 000002
【図２】
0003957610.tif 000003
【図３】
0003957610.tif 000004
【図４】
0003957610.tif 000005
【図５】
0003957610.tif 000006
【図６】
0003957610.tif 000007
【図７】
0003957610.tif 000008
【図１３】
0003957610.tif 000009